(57)【要約】【課題】高い作業効率でより安全に屋外情報表示板の表示を制御及び監視することを可能とする情報表示装置及び情報表示システムを提供する。【解決手段】情報表示装置１は、発光表示可能な屋外情報表示板１０と、モバイル端末２と通信可能な通信部２１と、モバイル端末２から受信された表示指令信号Ｓ０に応じて所定の発光表示を屋外情報表示板１０に実行させるための表示制御信号Ｓ１を生成する表示制御部２５と、発光表示の実行状態を示す監視情報をモバイル端末２に送信するための監視情報信号Ｓ２を生成する表示監視部２６を含む。情報表示システム５は情報表示装置１及びモバイル端末２を含み、モバイル端末２は、ユーザ入力に応じて表示内容を決定する表示内容決定部４６と、決定された表示内容に基づいて表示指令信号Ｓ０を生成する指令信号生成部４７と、受信された監視情報信号Ｓ２に基づく表示を表示画面４０に出力する監視情報出力部４８を含む。【選択図】  図１
2018106010.tif 000002
【特許請求の範囲】
【請求項１】
情報表示装置であって、
発光表示可能な屋外情報表示板と、
モバイル端末と通信可能な通信部と、
前記モバイル端末から受信された表示指令信号に応じて所定の発光表示を前記屋外情報表示板に実行させるための表示制御信号を生成する表示制御部と、
前記発光表示の実行状態を示す監視情報を前記モバイル端末に送信するための監視情報信号を生成する表示監視部と
を備えた情報表示装置。
【請求項２】
前記表示監視部が、前記表示指令信号又は前記表示制御信号に基づいて前記監視情報信号を生成するように構成された、請求項１に記載の情報表示装置。
【請求項３】
前記屋外情報表示板を撮影するカメラをさらに備え、
前記表示監視部が、前記カメラによって取得された撮影画像に基づいて前記監視情報信号を生成するように構成された、請求項１又は２に記載の情報表示装置。
【請求項４】
前記モバイル端末から受信された撮影方向信号に応じて前記カメラの撮影方向を変更する撮影方向制御部をさらに備えた、請求項３に記載の情報表示装置。
【請求項５】
前記撮影方向が、少なくとも前記屋外情報表示板の方向及び路面の方向の間で可変である、請求項４に記載の情報表示装置。
【請求項６】
前記屋外情報表示板の発光表示を手動で変更するための操作部と、
前記操作部によって前記発光表示が変更された場合に表示変更情報を前記モバイル端末に送信するための変更通知信号を生成する変更通知部と
をさらに備えた請求項１から５のいずれか一項に記載の情報表示装置。
【請求項７】
前記モバイル端末として複数のモバイル端末が存在する場合に、１つのモバイル端末によって前記発光表示が変更された場合に表示変更情報を他のモバイル端末に送信するための変更通知信号を生成する変更通知部をさらに備えた請求項１から５のいずれか一項に記載の情報表示装置。
【請求項８】
前記変更通知信号とともに前記監視情報信号が送信され、又は前記変更通知信号に前記監視情報が含まれるように構成された、請求項６又は７に記載の情報表示装置。
【請求項９】
データ又はプログラムを記憶するメモリと、
前記モバイル端末から受信された更新情報信号に基づいて前記メモリに記憶された前記データ又は前記プログラムを更新するように構成された更新処理部と
をさらに備えた請求項１から８のいずれか一項に記載の情報表示装置。
【請求項１０】
請求項１から９のいずれか一項に記載の情報表示装置と、前記モバイル端末とを含む情報表示システムであって、前記モバイル端末が、
表示画面及びユーザ入力を受け付ける操作入力部と、
前記情報表示装置と通信可能な端末通信部と、
前記屋外情報表示板に実行させる表示内容の候補を前記表示画面に出力し、前記ユーザ入力に応じて表示内容を決定する表示内容決定部と、
決定された前記表示内容を前記情報表示装置に送信するための前記表示指令信号を生成する指令信号生成部と、
受信された前記監視情報信号に基づく表示を前記表示画面に出力する監視情報出力部と
を備える、情報表示システム。
【請求項１１】
請求項３から５のいずれか一項に記載の情報表示装置と、前記モバイル端末とを含む情報表示システムであって、前記モバイル端末が、
表示画面及びユーザ入力を受け付ける操作入力部と、
前記情報表示装置と通信可能な端末通信部と、
前記屋外情報表示板に実行させる表示内容の候補を前記表示画面に出力し、前記ユーザ入力に応じて表示内容を決定する表示内容決定部と、
決定された前記表示内容を前記情報表示装置に送信するための前記表示指令信号を生成する指令信号生成部と、
受信された前記監視情報信号に含まれる前記撮影画像を前記表示画面に出力する監視情報出力部と
を備える、情報表示システム。
【請求項１２】
請求項６から８のいずれか一項に記載の情報表示装置と、前記モバイル端末とを含む情報表示システムであって、前記モバイル端末が、
表示画面及びユーザ入力を受け付ける操作入力部と、
前記情報表示装置と通信可能な端末通信部と、
前記屋外情報表示板に実行させる表示内容の候補を前記表示画面に出力し、前記ユーザ入力に応じて表示内容を決定する表示内容決定部と、
決定された前記表示内容を前記情報表示装置に送信するための前記表示指令信号を生成する指令信号生成部と、
受信された前記監視情報信号に基づく監視情報を前記表示画面に出力する監視情報出力部とを備え、該監視情報出力部が、前記変更通知信号の受信を報知手段に報知させるように構成された、情報表示システム。
【請求項１３】
情報表示装置、モバイル端末、及び前記情報表示装置から遠隔配置された主制御機を備えた情報表示システムであって、
前記情報表示装置が、
発光表示可能な屋外情報表示板と、
前記主制御機と通信可能な通信部と、
前記主制御機から受信された指令信号に応じて発光表示を前記屋外情報表示板に実行させるための表示制御信号を生成する表示制御部と、
前記発光表示の実行状態を示す監視情報を前記主制御機に送信するための監視信号を生成する表示監視部と
を備え、
前記主制御機が、前記情報表示装置及び前記モバイル端末と通信可能な制御機通信部と、
前記モバイル端末から受信された表示指令信号を前記指令信号に変換し、前記情報表示装置から受信された前記監視信号を監視情報信号に変換する信号変換部と
を備え、
前記モバイル端末が、
表示画面及びユーザ入力を受け付ける操作入力部と、
前記主制御機と通信可能な端末通信部と、
前記屋外情報表示板に実行させる表示内容の候補を前記表示画面に出力してユーザ入力に応じて表示内容を決定する表示内容決定部と、
決定された前記表示内容を前記主制御機に送信するための前記表示指令信号を生成する指令信号生成部と、
受信された前記監視情報信号に基づく表示を前記表示画面に出力する監視情報出力部と
を備える、情報表示システム。
【請求項１４】
前記表示監視部が、前記指令信号又は前記表示制御信号に基づいて前記監視信号を生成するように構成された、請求項１３に記載の情報表示システム。
【請求項１５】
前記情報表示装置が、前記屋外情報表示板を撮影するカメラをさらに備え、
前記表示監視部が、前記カメラによって取得された撮影画像に基づいて前記監視信号を生成するように構成され、
前記監視情報出力部が、前記監視情報信号に含まれる前記監視画像を前記表示画面に出力するように構成された、請求項１３又は１４に記載の情報表示システム。
【請求項１６】
前記情報表示装置が、前記モバイル端末から前記主制御機を介して受信された所定信号に応じて前記カメラの撮影方向を変更する撮影方向制御部をさらに備えた、請求項１５に記載の情報表示システム。
【請求項１７】
前記撮影方向が、少なくとも前記屋外情報表示板の方向及び路面の方向の間で可変である、請求項１６に記載の情報表示システム。
【請求項１８】
前記情報表示装置が、データ又はプログラムを記憶するメモリと、前記主制御機から受信された更新信号に基づいて前記メモリに記憶された前記データ又は前記プログラムを更新するように構成された更新処理部とをさらに備え、
前記信号変換部が、前記モバイル端末から受信された更新情報信号を前記更新信号に変換するように構成された、請求項１３から１７のいずれか一項に記載の情報表示システム。
【請求項１９】
前記モバイル端末が、前記監視情報信号に基づいて前記表示内容を含む履歴情報をメモリに記憶させる表示履歴記録部をさらに備える、請求項１０から１８のいずれか一項に記載の情報表示システム。
【請求項２０】
前記モバイル端末が、前記監視情報信号に基づいて前記撮影画像を含む履歴情報をメモリに記憶させる撮影履歴記録部をさらに備える、請求項１１又は１５乃至１７のいずれか一項に記載の情報表示システム。
【請求項２１】
前記モバイル端末が、前記情報表示装置にデータ又はプログラムの更新を実行させるための更新情報信号を生成する更新情報生成部をさらに備える、請求項１０から２０のいずれか一項に記載の情報表示システム。
【請求項２２】
前記表示画面及び前記ユーザ入力部がタッチパネルによって構成され、
前記表示内容決定部が、前記タッチパネルに表示された前記表示内容の候補へのスワイプ操作又はフリック操作に応じて前記表示内容の候補を順次変更させるように構成された、請求項１０から２１のいずれか一項に記載の情報表示システム。
【請求項２３】
前記表示画面において前記表示内容の候補が所定時間以上にわたって変更されない場合に、前記表示内容決定部が当該表示内容の候補を表示内容として決定するように構成された、請求項２２に記載の情報表示システム。
【請求項２４】
前記表示内容決定部が、前記表示内容の候補とともに所定のアイコンを前記表示画面に出力し、前記所定のアイコンが選択された時点で前記表示画面に表示されている表示内容候補を表示内容として決定するように構成された、請求項２３に記載の情報表示システム。
【発明の詳細な説明】
【技術分野】
【０００１】
本発明は、情報表示装置及びそれを用いた情報表示システムに関する。
【背景技術】
【０００２】
特許文献１の交通情報表示システムは、道路に設置された交通情報表示板と、この交通情報表示板の表示を制御する表示制御部と、地域の交通情報を収集する情報センターを備える。このシステムでは、交通情報表示板が設置されている道路の先方で事故や交通規制、渋滞などが発生している場合に、情報センターは通信回線を介してそれらの交通情報を表示制御部に送信する。
【先行技術文献】
【特許文献】
【０００３】
【特許文献１】特開２０００−２９３７８７号公報
【発明の概要】
【発明が解決しようとする課題】
【０００４】
しかし、上記システムでは、交通情報表示板の表示状態の監視又は確認を情報センターで行うことができない。また、表示制御部（制御装置）に設けられた操作部によって情報表示板の現場における制御及び監視を行うことが可能であったとしても、その表示の制御及び監視（又は確認）の作業に時間又は人員を要し、作業効率が低いという問題があった。例えば、ユーザが単独で表示の制御及び監視作業を行う場合には、そのユーザは、情報表示板の操作部又は情報表示板の下部に位置する制御装置に対して操作を行った後に情報表示板から離れてその表示状態を確認（目視）する必要があり、その一連の作業に時間がかかっていた。また、情報表示板の表示の制御及び確認を同時に行うには、上記操作部又は遠隔の管理施設から制御を行う作業者と、現場で表示状態の目視を行う作業者との２名のユーザが必要となり、人員を要していた。また、このような低い作業効率の問題は、多数の情報表示板を制御及び監視する場合に一層顕著となる。またさらに、高所にある情報表示板に直接操作を行う必要がある場合には、ユーザはその情報表示板まで登って高所作業を行う必要があり、より安全な制御及び監視の方法が望まれていた。
【０００５】
そこで、本発明は、高い作業効率でより安全に屋外情報表示板の表示を制御及び監視することを可能とする情報表示装置及びそれを用いた情報表示システムを提供することを課題とする。
【課題を解決するための手段】
【０００６】
本発明の第１及び第２の形態による情報表示装置は、発光表示可能な屋外情報表示板と、モバイル端末と通信可能な通信部と、モバイル端末から受信された表示指令信号に応じて所定の発光表示を屋外情報表示板に実行させるための表示制御信号を生成する表示制御部と、発光表示の実行状態を示す監視情報をモバイル端末に送信するための監視情報信号を生成する表示監視部とを備える。
【０００７】
本発明の第１及び第２の形態による情報表示システムは、上記情報表示装置及びモバイル端末を含み、モバイル端末は、表示画面及びユーザ入力を受け付ける操作入力部と、情報表示装置と通信可能な端末通信部と、屋外情報表示板に実行させる表示内容の候補を表示画面に出力してユーザ入力に応じて表示内容を決定する表示内容決定部と、決定された表示内容を情報表示装置に送信するための表示指令信号を生成する指令信号生成部と、受信された監視情報信号に基づく表示を表示画面に出力する監視情報出力部とを備える。
【０００８】
上記構成によると、モバイル端末から受信された表示指令信号に応じて屋外情報表示板の発光表示が実行され、屋外情報表示板の発光表示の実行状態を示す監視情報信号がモバイル端末に送信される。したがって、屋外情報表示板の遠隔又は現場に位置するモバイル端末のユーザは、単独でかつ実質的に同時に屋外情報表示板の表示を制御及び監視することができる。また、ユーザが高所に設置された情報表示板まで登って高所作業を行う必要がなく、高い安全性が得られる。またさらに、モバイル端末のユーザは、停車中又は走行中の作業用車両から降車することなく、屋外情報表示板の表示を制御及び監視することができる。これにより、情報表示板の設置現場の天候に左右されずに一連の作業を行うことが可能となる。例えば、ユーザは風雨、降雪、炎天下などの悪天候に曝されることなく、また落雷の危険を回避しつつ制御及び監視の作業を行うことができ、作業の安全性が一層増す。さらに、作業において制御及び監視のために情報表示板又は制御装置の扉を開放する必要がなく、浸水による情報表示板又は制御装置の故障又は漏電が回避される。したがって、モバイル端末を用いて高い作業効率でより安全に屋外情報表示板の表示を制御及び監視することを可能とする情報表示装置及びそれを用いた情報表示システムが実現される。
【０００９】
第１の形態における情報表示装置では、表示監視部は、表示指令信号又は表示制御信号に基づいて監視情報信号を生成するように構成される。これにより、屋外情報表示板の表示を監視する簡素な構成が実現される。
【００１０】
第２の形態における情報表示装置は、屋外情報表示板を撮影するカメラをさらに備え、表示監視部は、カメラから取得された撮影画像に基づいて監視情報信号を生成するように構成される。また、モバイル端末の監視情報出力部は、受信された監視情報信号に含まれる撮影画像を表示画面に出力する。これにより、屋外情報表示板の表示の確実な監視が可能となる。また、屋外情報表示板の発光表示のための光源の欠陥の有無を確認するためのランプテストにおいても、その制御及び監視を、単独のユーザによって、実質的に同時に、かつ遠隔から行うことが可能となり、高い作業性及び情報性が得られる。カメラを各種監視用のカメラとして用いることもでき情報表示装置又は情報表示システムの機能拡張が可能となる。
【００１１】
ここで、情報表示装置は、モバイル端末から受信された撮影方向信号に応じてカメラの撮影方向を変更する撮影方向制御部をさらに備えていてもよい。これにより、撮影画像に基づく監視情報の多様性が増す。例えば、撮影方向は、少なくとも屋外情報表示板の方向及び路面の方向の間で可変であってもよい。これにより、路面状態の監視と、それに伴う発光表示の制御及び監視が可能となる。
【００１２】
第１又は第２の形態における情報表示装置は、屋外情報表示板の発光表示を手動で変更するための操作部と、操作部によって発光表示が変更された場合に表示変更情報をモバイル端末に送信するための変更通知信号を生成する変更通知部を備えていてもよい。この場合、モバイル端末の監視情報出力部は、変更通知信号の受信を報知手段に報知させるように構成される。これにより、情報表示装置から遠隔に位置するユーザが屋外情報表示板の表示変更を確認することができ、情報表示装置の管理性が増す。
【００１３】
また、第１又は第２の形態における情報表示装置は、モバイル端末として複数のモバイル端末が存在する場合に、１つのモバイル端末によって発光表示が変更された場合に表示変更情報を他のモバイル端末に送信するための変更通知信号を生成する変更通知部を備えていてもよい。この場合、監視情報出力部は、変更通知信号の受信を報知手段に報知させるように構成される。これにより、情報表示装置から遠隔に位置するユーザが屋外情報表示板の表示変更を確認することができ、情報表示装置の管理性が増す。
【００１４】
なお、変更通知信号とともに監視情報信号が送信され、又は変更通知信号に監視情報が含まれるようにしてもよい。これにより、変更通知における情報性が増す。
【００１５】
また、第１又は第２の形態における情報表示装置は、データ又はプログラムを記憶するメモリと、モバイル端末から受信された更新情報信号に基づいてメモリに記憶されたデータ又はプログラムを更新するように構成された更新処理部とをさらに備えていてもよい。この場合、モバイル端末は、情報表示装置にデータ又はプログラムの更新を実行させるための更新情報信号を生成する更新情報生成部をさらに備える。これにより、情報表示装置の適時かつ容易なバージョンアップが可能となる。
【００１６】
本発明の第３の形態による情報表示システムは、情報表示装置、モバイル端末、及び情報表示装置から遠隔配置された主制御機を備える。情報表示装置は、発光表示可能な屋外情報表示板と、主制御機と通信可能な通信部と、主制御機から受信された指令信号に応じて発光表示を屋外情報表示板に実行させるための表示制御信号を生成する表示制御部と、発光表示の実行状態を示す監視情報を主制御機に送信するための監視信号を生成する表示監視部とを備える。主制御機は、情報表示装置及びモバイル端末と通信可能な制御機通信部と、モバイル端末から受信された表示指令信号を指令信号に変換し、情報表示装置から受信された監視信号を監視情報信号に変換する信号変換部とを備える。モバイル端末は、表示画面及びユーザ入力を受け付ける操作入力部と、主制御機と通信可能な端末通信部と、屋外情報表示板に実行させる表示内容の候補を表示画面に出力してユーザ入力に応じて表示内容を決定する表示内容決定部と、決定された表示内容を主制御機に送信するための表示指令信号を生成する指令信号生成部と、受信された監視情報信号に基づく表示を表示画面に出力する監視情報出力部とを備える。
【００１７】
これにより、主制御機と情報表示装置の間の既存の通信回線を利用して、モバイル端末による屋外情報表示板の表示を制御及び監視に関する上記の各効果を得ることができ、導入容易な情報表示システムが実現される。また、上記第３の形態による情報表示システムにおいても、第１の形態と同様に、表示監視部が、指令信号又は表示制御信号に基づいて監視情報信号を生成するように構成され得る。また第２の形態と同様に、表示監視部が、屋外情報表示板を撮影するカメラから取得された撮影画像に基づいて監視信号を生成するように構成され、監視情報出力部が、主制御機によって監視信号から変換された監視情報信号に含まれる監視画像を表示画面に出力するように構成され得る。また、情報表示装置が、主制御機によって撮影方向信号から変換された方向信号に応じてカメラの撮影方向を変更する撮影方向制御部をさらに備えていてもよい。例えば、撮影方向は、少なくとも屋外情報表示板の方向及び路面の方向の間で可変であってもよい。またさらに、第１及び第２の形態と同様に、モバイル端末が、情報表示装置にデータ又はプログラムの更新を実行させるための更新情報信号を生成する更新情報生成部をさらに備え、情報表示装置が、主制御機によって更新情報信号から変換された更新信号に基づいてメモリに記憶されたデータ又はプログラムを更新するように構成された更新処理部を備えていてもよい。
【００１８】
上記いずれかの情報表示システムにおいて、モバイル端末は、監視情報信号に基づいて表示内容を含む履歴情報をメモリに記憶させる表示履歴記録部をさらに備えていてもよい。このように、情報表示板の表示内容の履歴情報が記録される構成によって、道路情報表示の管理性が高まる。
【００１９】
カメラを含む上記いずれかの情報表示システムにおいて、モバイル端末は、監視情報信号に基づいて撮影画像を含む履歴情報をメモリに記憶させる撮影履歴記録部をさらに備えていてもよい。このように、情報表示板の撮影画像の履歴情報が記録される構成によって、道路情報表示の管理性が一層高まる。
【００２０】
上記いずれかの情報表示システムにおいて、表示画面及びユーザ入力部がタッチパネルによって構成され、表示内容決定部が、タッチパネルに表示された表示内容の候補へのスワイプ操作又はフリック操作に応じて表示内容の候補を順次変更させるように構成される。これにより、モバイル端末における表示内容の選択に関して直観的な操作が可能となる。
【００２１】
さらに、表示画面において表示内容の候補が所定時間以上にわたって変更されない場合に、表示内容決定部がその表示内容の候補を表示内容として決定するように構成される。これにより、モバイル端末における表示内容の選択に関する操作ステップを減少させることができ、より直感的な操作が可能となる。
【００２２】
またさらに、表示内容決定部が、表示内容の候補とともに所定のアイコンを表示画面に出力し、所定のアイコンが選択された時点で表示画面に表示されている表示内容候補を表示内容として決定するように構成されてもよい。これにより、操作の直感性と迅速性の両立が可能となる。
【図面の簡単な説明】
【００２３】
【図１】第１の実施形態による情報表示装置及び情報表示システムのブロック図である。
【図２】第２の実施形態による情報表示装置及び情報表示システムのブロック図である。
【図３】第２の実施形態の追加実施例による情報表示装置及び情報表示システムのブロック図である。
【図４】第３の実施形態による情報表示装置及び情報表示システムのブロック図である。
【図５】各実施形態におけるモバイル端末操作の一例を説明する図である。
【図６】各実施形態におけるモバイル端末操作の他の例を説明する図である。
【図７】各実施形態におけるモバイル端末の画面例を説明する図である。
【発明を実施するための形態】
【００２４】
＜第１の実施形態＞
図１に、本発明の第１の実施形態による情報表示装置１−１〜１−ｎ及びそれを含む情報表示システム５のブロック図を示す。情報表示システム５は、情報表示装置１−１〜１−ｎ及びモバイル端末２を含む。なお、以降の説明において、情報表示装置１−１〜１−ｎを総称して、又はそのいずれかを代表して情報表示装置１というものとする。概略として、本実施形態及び他の実施形態では、モバイル端末２から無線通信によって情報表示装置１の表示を制御及び監視する。
【００２５】
情報表示装置１は、屋外情報表示板１０（以下、「情報表示板１０」という）及び制御装置２０を備え、これらは道路又は河川の付近などの屋外に設置される。すなわち、情報表示板１０は、道路情報表示板であってもよいし、河川情報表示板であってもよい。ただし、本実施形態では、情報表示板１０は道路情報表示板であるものとする。情報表示装置１は、文字、数字、記号、絵、模様若しくはこれらの組合せの静止画又は動画といった各種情報を情報表示板１０上に発光表示し、路上のドライバーに上記情報を伝達するように構成される。なお、情報表示装置１−１〜１−ｎの各々のブロック図は同じであるが、それぞれの情報表示板１０の表示は異なり得る。
【００２６】
情報表示板１０は、マトリクス状に配列された多数の光源（例えばＬＥＤ）を備え、制御装置２０から入力される表示制御信号Ｓ１に応じて各光源を点灯又は消灯させる。図１においては、情報表示板１０は、縦型タイプとして図示されるが、横型タイプであってもよい。
【００２７】
制御装置２０は通信部２１、ＣＰＵ２２、メモリ２３及び出力インターフェース２４を備え、ＣＰＵ２２は表示制御部２５、表示監視部２６、変更通知部２７及び更新処理部２８を含む。これらの各部はバスによって相互に信号又はデータのやり取りが可能な態様で接続される。また、ＣＰＵ２２は、そこに含まれる各部の機能とともに、通信部２１の通信制御など、特に明記しない一般的なＣＰＵとしての機能も実行可能であるものとする。また、制御装置２０は、情報表示板１０の手動制御のためのスイッチなどの操作部２９を備えていてもよい。
【００２８】
通信部２１は、モバイル端末２とＢｌｕｅｔｏｏｔｈ（登録商標）、Ｗｉ−Ｆｉ、３Ｇ、４Ｇ、ＬｏＲａなどによって無線通信可能に構成される。メモリ２３は不揮発性メモリ（ＲＯＭなど）及び揮発性メモリ（ＲＡＭなど）を含み、データ及びプログラムを記憶する。
【００２９】
表示制御部２５は、通信部２１によってモバイル端末２から受信された表示指令信号Ｓ０に応じて所定の発光表示を情報表示板１０に実行させるための表示制御信号Ｓ１を生成する。すなわち、表示制御部２５は、メモリ２３を参照するなどして、表示指令信号Ｓ０に対応する発光表示のための表示制御信号Ｓ１を生成し、出力インターフェース２４を介してその表示制御信号Ｓ１を情報表示板１０に出力する。また、表示制御部２５は、操作部２９からの手動操作信号Ｓ３が入力された場合にも、手動操作信号Ｓ３に応じた表示制御信号Ｓ１を生成する。
【００３０】
なお、表示制御信号Ｓ１は、情報表示板１０の仕様に応じてパラレル信号であってもよいし、シリアル信号であってもよい。また、表示制御信号Ｓ１は、情報表示板１０の仕様に応じて接点信号であってもよいし、所定の形式のデジタル信号であってもよい。表示制御信号Ｓ１としてパラレル信号が要求される場合には、表示制御部２５からシリアル信号として出力された表示制御信号Ｓ１をパラレル信号の表示制御信号Ｓ１に変換するためのシリアル／パラレル変換回路が、出力インターフェース２４の前段に設けられる。
【００３１】
表示監視部２６は、情報表示板１０の発光表示の実行状態を示す監視情報をモバイル端末２に送信するための監視情報信号Ｓ２を生成し、監視情報信号Ｓ２は通信部２１からモバイル端末２に送信される。本実施形態では、表示監視部２６は、通信部２１によって受信された表示指令信号Ｓ０又は表示制御部２５によって生成された表示制御信号Ｓ１に基づいて監視情報信号Ｓ２を生成する。
【００３２】
変更通知部２７は、情報表示板１０の表示が変更された場合に、表示変更情報をモバイル端末２に送信するための変更通知信号Ｓ４を生成し、変更通知信号Ｓ４は通信部２１からモバイル端末２に送信される。この表示変更は、操作部２９からの手動操作による変更、又は本実施形態を実行するためのアプリを有する他のモバイル端末（不図示）による変更が想定される。言い換えると、変更通知信号Ｓ４は、手動操作信号Ｓ３又は他のモバイル端末からの表示指令信号Ｓ０に応じて生成される。これにより、モバイル端末２によって表示が変更された場合には変更通知信号Ｓ４が情報表示装置１から他のモバイル端末に送信され、他のモバイル端末によって表示が変更された場合には変更通知信号Ｓ４が情報表示装置１からモバイル端末２に送信される。なお、各モバイル端末のアドレスは、メモリ２３に予め登録（記憶）されているものとする。
【００３３】
これにより、情報表示装置１から遠隔に位置するユーザが情報表示板１０の表示変更を確認することができ、情報表示装置１の管理性が増す。例えば、複数の情報表示装置１を複数のユーザが分担して制御及び監視する場合に、変更通知信号Ｓ４によって他のユーザの作業状況の把握が可能となる。これにより、複数のユーザ間で、その分担の増加又は減少を作業の進行状況に応じて柔軟に変更することが可能となる。また、変更通知信号Ｓ４とともに監視情報信号Ｓ２が送信されることが好ましい。あるいは、変更通知信号Ｓ４に監視情報が含まれることが好ましい。これにより、変更通知における情報性が増す。
【００３４】
更新処理部２８は、通信部２１によってモバイル端末２から受信された更新情報信号Ｓ５に基づいて、メモリ２３に記憶されているデータ又はプログラムを更新する（ソフトウェアのバージョンアップ、修正などを行う）。すなわち、更新処理部２８は、メモリ２３のデータ又はプログラムを更新情報信号Ｓ５に含まれる更新版に書き換える。これにより、情報表示装置１の容易なバージョンアップが可能となる。なお、更新処理部２８は、更新が進行中であること、更新が完了したこと又は更新が失敗したことを示す更新結果通知信号Ｓ６をモバイル端末２に送信するように構成されてもよい。
【００３５】
モバイル端末２はタッチパネル４０、端末通信部４１、ＣＰＵ４２、メモリ４３及び報知部４４を備え、ＣＰＵ４２は制御対象決定部４５、表示内容決定部４６、指令信号生成部４７、監視情報出力部４８、表示履歴記録部４９、監視情報要求部５０及び更新情報生成部５１を備える。これらの各部は、バスを介して相互に信号及びデータのやり取りが可能な態様で接続される。本実施形態では、モバイル端末２はスマートフォンである。したがって、タッチパネル４０は、表示画面として機能するとともに、ユーザ入力を受け付ける操作入力部として機能する。なお、モバイル端末２は、タブレット、ノートパソコンなど、他のタイプのモバイル端末であってもよい。
【００３６】
端末通信部４１は、通常のモバイル端末に装備され得る無線通信手段であり、本実施形態では情報表示装置１（通信部２１）と、Ｂｌｕｅｔｏｏｔｈ（登録商標）、Ｗｉ−Ｆｉ、３Ｇ、４Ｇ、ＬｏＲａなどによって無線通信可能に構成される。ＣＰＵ４２は、そこに含まれる各部の機能とともに、端末通信部４１の通信制御など、特に明記しない一般的なモバイル端末用のＣＰＵとしての機能も実行可能であるものとする。メモリ４３は、プログラム及びデータを記憶するＲＡＭ、ＲＯＭなどの記憶部であり、本実施形態を実行するためのアプリがすでにインストールされているものとする。報知部４４は、バイブレータ、スピーカなどの報知手段である。
【００３７】
制御対象決定部４５は、制御対象となり得る情報表示装置１の候補（すなわち、情報表示装置１のＩＤの選択肢など）をタッチパネル４０に出力し、ユーザ入力に応じて制御対象を決定する。表示内容決定部４６は、情報表示板１０に表示する表示内容の候補（文字表示の選択肢など）をタッチパネル４０に出力し、ユーザ入力に応じて表示内容を決定する。指令信号生成部４７は、表示内容決定部４６によって決定された表示内容を制御対象決定部４５によって決定された制御対象の情報表示装置１に送信するための表示指令信号Ｓ０を生成する。表示指令信号Ｓ０は、端末通信部４１から情報表示装置１に送信される。
【００３８】
監視情報出力部４８は、端末通信部４１によって受信された監視情報信号Ｓ２に基づく監視情報の表示をタッチパネル４０に出力する。監視情報の表示は、例えば、情報表示装置１のＩＤ、表示指令信号Ｓ０が情報表示装置１によって受け付けられたこと、表示制御信号Ｓ１が情報表示装置１によって生成されたことなどを示す表示であればよい。あるいは、監視情報の表示は、表示制御信号Ｓ１に基づいて情報表示板１０における表示を模式的又は写実的に再現した表示であってもよい。
【００３９】
また、監視情報出力部４８は、端末通信部４１によって変更通知信号Ｓ４が受信されると、報知部４４によるバイブレーション、着信音又は音声を作動させて変更通知信号Ｓ４の受信を報知する。これにより、情報表示装置１から遠隔に位置するユーザが情報表示板１０の表示変更を確認することができ、情報表示装置１の管理性が増す。また、変更通知信号Ｓ４が監視情報信号Ｓ２とともに送信される場合又は変更通知信号Ｓ４に監視情報が含まれる場合には、監視情報出力部４８は、その監視情報信号Ｓ２に基づく監視情報をタッチパネル４０に出力する。
【００４０】
表示履歴記録部４９は、過去の監視情報信号Ｓ２の履歴情報（例えば、表示変更が行われた情報表示装置１のＩＤ、その変更履歴など）をメモリ４３に記憶させる。また、所定の操作に応じて、メモリ４３に記憶された履歴情報を呼び出し、端末通信部４１を介してパソコンなどの外部装置に履歴情報を送信することができるようにしてもよい。このように、情報表示板１０の表示内容の履歴情報が記録される構成によって、道路情報表示の管理性が高まる。
【００４１】
監視情報要求部５０は、表示指令信号Ｓ０の生成及び送信とは別に、監視情報信号Ｓ２の送信を情報表示装置１に要求するための監視要求信号Ｓ７を生成する。例えば、ユーザがタッチパネル４０上の適宜の画面から監視情報要求部５０を作動させると、監視要求信号Ｓ７が端末通信部４１を介して制御装置２０に送信される。これに応じて表示監視部２６によって生成された監視情報信号Ｓ２が通信部２１を介してモバイル端末２に送信され、監視情報出力部４８によってタッチパネル４０に監視情報が表示される。これにより、モバイル端末２のユーザは、情報表示板１０の表示内容の制御とは別に、情報表示板１０の表示状態を監視又は確認することができる。
【００４２】
更新情報生成部５１は上記更新情報信号Ｓ５（情報表示装置１（更新処理部２８）にデータ又はプログラムの更新を実行させるための信号）を生成し、更新情報信号Ｓ５は端末通信部４１から情報表示装置１に送信される。これにより、モバイル端末２を用いて情報表示装置１の適時かつ容易なバージョンアップが可能となる。また、更新情報生成部５１は、端末通信部４１によって更新結果通知信号Ｓ６が受信された場合に、更新が進行中であることの表示、更新が完了したことの表示又は更新が失敗したことの表示をタッチパネル４０に出力することができる。また、モバイル端末２が情報表示装置１にプログラムの現バージョンを照会し、情報表示装置１がモバイル端末２にプログラムのバージョン情報を返信するようにしてもよい。この場合、更新情報生成部５１が、情報表示装置１のプログラムの現バージョンを照会するための照会信号を生成し、更新処理部２８が、照会信号に応じて、バージョン情報を含む応答信号を生成する。そして、更新情報生成部５１は、応答信号に含まれるバージョン情報をタッチパネル４０に表示させる。
【００４３】
以上のように、本実施形態の情報表示装置１は少なくとも、発光表示可能な情報表示板１０と、モバイル端末２と通信可能な通信部２１と、モバイル端末２から受信された表示指令信号Ｓ０に応じて所定の発光表示を情報表示板１０に実行させるための表示制御信号Ｓ１を生成する表示制御部２５と、発光表示の実行状態を示す監視情報をモバイル端末２に送信するための監視情報信号Ｓ２を表示指令信号Ｓ０又は表示制御信号Ｓ１に基づいて生成する表示監視部２６とを備える。そして、情報表示システム５は、上記情報表示装置１及びモバイル端末２を含み、モバイル端末２は少なくとも、タッチパネル４０と、情報表示装置１と通信可能な端末通信部４１と、情報表示板１０に実行させる表示内容の候補をタッチパネル４０に出力してユーザ入力に応じて表示内容を決定する表示内容決定部４６と、決定された表示内容を情報表示装置１に送信するための表示指令信号Ｓ０を生成する指令信号生成部４７と、受信された監視情報信号Ｓ２に基づく監視情報をタッチパネル４０に出力する監視情報出力部４８とを備える。
【００４４】
このように、モバイル端末２から受信された表示指令信号Ｓ０に応じて情報表示板１０の発光表示が実行され、情報表示板１０の発光表示の実行状態を示す監視情報信号Ｓ２がモバイル端末２に送信される。したがって、情報表示板１０の遠隔又は現場に位置するモバイル端末２のユーザは、単独でかつ実質的に同時に情報表示板１０の表示を制御及び監視（又は確認、以下同じ）することができる。また、ユーザが高所に設置された情報表示板１０まで登って高所作業を行う必要がなく、高い安全性が得られる。またさらに、モバイル端末２のユーザは、停車中又は走行中の作業用車両から降車することなく、情報表示板１０の表示を制御及び監視することができる。これにより、情報表示板１０の設置現場の天候に左右されずに一連の作業を行うことが可能となる。例えば、ユーザは風雨、降雪、炎天下などの悪天候に曝されることなく、また落雷の危険を回避しつつ制御及び監視の作業を行うことができ、作業の安全性が一層増す。さらに、作業において情報表示板１０又は制御装置２０の扉を開放する必要がなく、浸水による情報表示板１０又は制御装置２０の故障又は漏電が回避される。
【００４５】
したがって、モバイル端末２を用いて高い作業効率でより安全に情報表示板１０の表示を制御及び監視することを可能とする情報表示装置１及びそれを用いた情報表示システム５が実現される。特に本実施形態では、表示監視部２６が、表示指令信号Ｓ０又は表示制御信号Ｓ１に基づいて監視情報信号Ｓ２を生成するように構成されるので、情報表示板１０の表示を監視する簡素な構成が実現される。
【００４６】
＜第２の実施形態＞
上記第１の実施形態では、監視情報信号Ｓ２が、表示指令信号Ｓ０又は表示制御信号Ｓ１に基づく構成を示したが、本実施形態では、監視情報信号Ｓ２が、情報表示板１０を撮影するカメラ画像に基づく構成を示す。なお、本開示において、「画像」とは、特に指定がない限り、動画又は静止画のいずれであってもよい。
【００４７】
図２に、本実施形態の情報表示装置１を含む情報表示システム５のブロック図を示す。本実施形態において、第１の実施形態と実質的に同様の機能を有する要素には同様の符号を付し、その重複する説明を省略する。本実施形態では、情報表示装置１は、情報表示板１０、制御装置２０及びカメラ３０を備える。モバイル端末２の構成は、撮影履歴記録部５２が設けられる点以外において、第１の実施形態のものと実質的に同様である。
【００４８】
カメラ３０は、例えば、情報表示板１０に対してアームなどの支持部材を介して固定され、情報表示板１０をその正面上方又は正面側方から撮影するよう配置される。また、カメラ３０は、路面側に設置されてもよく（例えば、路面上に立設された支持部材によって固定されてもよく）、この場合、カメラ３０は情報表示板１０をその正面下方から撮影する。前者のようにカメラ３０が情報表示板１０に支持される場合には、カメラ３０は情報表示板１０を近距離から撮影することができ、より鮮明な情報表示板１０の画像が得られる。一方、後者のようにカメラ３０が地上側に設置される場合には、カメラ３０の設置及び保守が容易となる。
【００４９】
表示制御部２５による情報表示板１０の制御が行われると、表示監視部２６は、情報表示板１０の発光表示の実行状態を示す監視情報をモバイル端末２に送信するための監視情報信号Ｓ２を生成し、監視情報信号Ｓ２は通信部２１からモバイル端末２に送信される。ただし、本実施形態における監視情報信号Ｓ２は、カメラ３０によって取得された撮影画像に基づく。モバイル端末２では、監視情報出力部４８が、端末通信部４１によって受信された監視情報信号Ｓ２に含まれる撮影画像をタッチパネル４０の一部領域又は全域に表示させる。
【００５０】
この撮影画像の送信によって、通常動作における表示状態の監視だけでなく、ランプテストにおける表示状態の監視も可能となる。ランプテストとは、情報表示板１０を構成する光源に欠陥がないか否か（各光源が不点でないか否か）及び欠陥がある場合にはその位置を確認するための試験である。この場合、モバイル端末２は、ランプテスト専用の表示を行うための表示指令信号Ｓ０を情報表示装置１に送信し、情報表示板１０がランプテスト用のテストパターンを表示する。モバイル端末２のユーザは、情報表示装置１から送信される監視情報信号Ｓ２に含まれる情報表示板１０の画像を確認して、光源の欠陥の有無及び欠陥がある場合の欠陥位置などを確認することができる。
【００５１】
また、カメラ３０を他の用途で（監視カメラなどとして）使用することも可能である。例えば、情報表示板１０の外観における（歪みなどの）異常の有無の監視、情報表示板１０若しくは制御装置２０に対する悪戯抑止のための監視、又は情報表示板１０若しくは制御装置２０の盗難抑止のための監視に、カメラ３０からの撮影画像を利用することもできる。
【００５２】
また、第１の実施形態と同様に、監視情報要求部５０は、表示指令信号Ｓ０の生成及び送信とは別に、カメラ３０による撮影画像の取得及び送信を情報表示装置１に要求する監視要求信号Ｓ７を生成する。監視要求信号Ｓ７が端末通信部４１を介して情報表示装置１に送信されると、カメラ３０からの撮影画像を含む監視情報信号Ｓ２が通信部２１を介してモバイル端末２に送信され、監視情報出力部４８によって監視情報がタッチパネル４０に表示される。これにより、モバイル端末２のユーザは、情報表示板１０の表示内容の制御とは別に、情報表示板１０の画像を確認することができる。
【００５３】
また、本実施形態では、撮影履歴記録部５２が、履歴情報として、監視情報信号Ｓ２に含まれる撮影画像に係る情報表示装置１のＩＤだけでなく撮影画像をメモリ４３に記憶させることができる。すなわち、カメラ３０の撮影データ（静止画又は動画）がモバイル端末２に保存され、その後ユーザは情報表示装置１の撮影履歴を静止画又は動画によって確認することができる。このように、情報表示板１０の撮影画像の履歴情報が記録される構成によって、道路情報表示の管理性が一層高まる。なお、表示履歴記録部４９は、撮影履歴記録部５２と連動して動作するように構成されてもよいし、省略されてもよい。
【００５４】
以上のように、本実施形態の情報表示装置１は少なくとも、発光表示可能な情報表示板１０と、情報表示板１０を撮影するカメラ３０と、モバイル端末２と通信可能な通信部２１と、モバイル端末２から受信された表示指令信号Ｓ０に応じて所定の発光表示を情報表示板１０に実行させるための表示制御信号Ｓ１を生成する表示制御部２５と、発光表示の実行状態を示す監視情報をモバイル端末２に送信するための監視情報信号Ｓ２をカメラ３０から取得された撮影画像に基づいて生成する表示監視部２６とを備える。そして、情報表示システム５は、上記情報表示装置１及びモバイル端末２を含み、モバイル端末２は少なくとも、タッチパネル４０と、情報表示装置１と通信可能な端末通信部４１と、情報表示板１０に実行させる表示内容の候補をタッチパネル４０に出力してユーザ入力に応じて表示内容を決定する表示内容決定部４６と、決定された表示内容を情報表示装置１に送信するための表示指令信号Ｓ０を生成する指令信号生成部４７と、受信された監視情報信号Ｓ２に含まれる撮影画像をタッチパネル４０に出力する監視情報出力部４８とを備える。
【００５５】
したがって、本実施形態においても、モバイル端末２のユーザは、単独で、実質的に同時に、かつ遠隔から情報表示板１０を制御及び監視することができる。これにより、第１の実施形態と同様に、モバイル端末２を用いて高い作業効率でより安全に情報表示板１０の表示を制御及び監視することを可能とする情報表示装置１及びそれを用いた情報表示システム５が実現される。特に本実施形態では、情報表示板１０を撮影するカメラ３０が設けられ、表示監視部２６は、カメラ３０から取得された撮影画像に基づいて監視情報信号Ｓ２を生成するように構成される。これにより、情報表示板１０の表示の確実な監視が可能となる。また、情報表示板１０の光源の欠陥の有無及び欠陥がある場合のその位置を確認するためのランプテストにおいても、その制御及び監視を、単独のユーザによって、実質的に同時に、かつ遠隔から行うことが可能となり、高い作業性及び情報性が得られる。また、カメラ３０を各種監視用のカメラとして用いることもでき情報表示装置１又は情報表示システム５の機能拡張が可能となる。
【００５６】
＜第２の実施形態、追加実施例＞
上記の例ではカメラ３０を定点カメラとして説明したが、追加実施例として、カメラは可動のカメラであってもよい。図３に、追加実施例に係る情報表示装置１及びそれを含む情報表示システム５のブロック図を示す。本実施形態において、図２に示す構成と実質的に同様の機能を有する要素には同様の符号を付し、その重複する説明を省略する。
【００５７】
情報表示装置１は可動のカメラ３１を備える。カメラ３１は、その撮影方向が情報表示板１０の方向だけでなく他の対象物の方向にも変更可能となるように設定される。あるいは、カメラ３１の撮影方向は、情報表示板１０の表示をスキャンするように可変とされてもよい。制御装置２０は撮影方向制御部３２を含み、モバイル端末２は撮影方向指令部５３を含む。
【００５８】
撮影方向指令部５３は、カメラ３１の撮影方向の変更及び撮影画像の送信を情報表示装置１に指示するための撮影方向信号Ｓ８を生成する。例えば、ユーザがタッチパネル４０上の適宜の画面から撮影方向指令部５３を作動させると、撮影方向信号Ｓ８が端末通信部４１を介して制御装置２０に送信される。これに応じて撮影方向制御部３２がアクチュエータ（不図示）などを介してカメラ３１の撮影方向を変更するとともに、表示監視部２６がカメラ３１からの撮影画像を取得する。なお、カメラ３１の合焦状態は、撮影対象物に応じて自動調整されるものとする。この撮影画像を含む監視情報信号Ｓ２が、通信部２１を介してモバイル端末２に送信され、監視情報出力部４８によって監視情報がタッチパネル４０に表示される。また、撮影方向制御部３２は、表示指令信号Ｓ０又は監視要求信号Ｓ７に応じて、撮影開始から撮影終了まで自動でカメラ３１の撮影方向を変更するようにしてもよい（例えば、予め設定された撮影範囲を所定速度で走査するようにしてもよい）。この場合、撮影方向指令部５３は省略され得る。
【００５９】
このように、可動のカメラ３１を用いる構成によって、撮影画像に基づく監視情報の多様性が増す。例えば、カメラ３１の撮影方向が、少なくとも情報表示板１０の方向及び路面の方向の間で可変となるように構成されてもよい。これにより、路面状態の監視と、それに伴う発光表示の制御及び監視が可能となる。例えば、情報表示装置１がアンダーパス付近に設置される場合、モバイル端末２のユーザは、カメラ３１を路面方向に向けるとともに路面の撮影画像を取得し、その撮影画像から冠水の恐れがあると判断した場合には、「通行止」などの表示内容を選択することができる。
【００６０】
また、１台のカメラ３１によって付近の複数の情報表示板１０の画像を撮影する構成が可能となる。これにより、カメラ３１の設置台数を減少させることができ、情報表示システム５の低コスト化が可能となるとともに導入容易性が高まる。あるいは、カメラ３１が、情報表示板１０の一端から他端までをスキャンするように駆動されてもよい。これにより、情報表示板１０の各部領域をアップで撮影することが可能となり、情報表示板１０を構成する光源が細密化された場合でも、ランプテストにおいて高精度に光源の欠陥の有無及び欠陥がある場合のその位置を特定することが可能となる。
【００６１】
＜第３の実施形態＞
上記第１及び第２の実施形態では、モバイル端末２から情報表示装置１を直接制御する構成を示したが、本実施形態では、モバイル端末２が、情報表示装置１から遠隔の主制御機を介して情報表示装置１を制御する構成を示す。
【００６２】
図４に、本実施形態の情報表示装置１を含む情報表示システム５のブロック図を示す。本実施形態において、第１又は第２の実施形態と実質的に同様の機能を有する要素には同様の符号を付し、その重複する説明を省略する。本実施形態では、情報表示システム５は、第２の実施形態の構成に加えて、管理施設に設置された主制御機３を備える。モバイル端末２と主制御機３とは無線接続され、主制御機３と情報表示装置１とは通信線Ｌで接続される。なお、通信線Ｌは、主制御機３と情報表示装置１の間の既存の通信線であればよい。主制御機３と情報表示装置１とが有線接続されている構成が図示されるが、これらは無線で接続されてもよいし、インターネットなどのネットワークを介して有線又は無線で接続されていてもよい。本実施形態では、モバイル端末２のユーザが主制御機３を介して情報表示装置１の試験を行う状況などが想定される。
【００６３】
情報表示装置１の制御装置２０は、通信部２１ａ、ＣＰＵ２２、メモリ２３及び出力インターフェース２４を備え、ＣＰＵ２２は表示制御部２５ａ、表示監視部２６ａ及び更新処理部２８ａを含む。通信部２１ａは、主制御機３と通信可能に構成される。情報表示装置１には、第２の実施形態と同様の定点カメラ３０又は可動カメラ３１が設定され、可動カメラ３１が設置される場合にはＣＰＵ２２は撮影方向制御部３２ａを含む。表示制御部２５ａ、表示監視部２６ａ、更新処理部２８ａ及び撮影方向制御部３２ａは、第１又は第２の実施形態の表示制御部２５、表示監視部２６、更新処理部２８及び撮影方向制御部３２と実質的に同じ機能を有するが、処理する信号が一部相違する。
【００６４】
表示制御部２５ａは、通信部２１ａによって主制御機３から受信された指令信号Ｓ０ａに応じて所定の発光表示を情報表示板１０に実行させるための表示制御信号Ｓ１を生成する。撮影方向制御部３２ａは、通信部２１ａによって主制御機３から受信された方向信号Ｓ８ａに応じてカメラ３１の撮影方向を制御する。
【００６５】
表示監視部２６ａは、通信部２１ａによって主制御機３から受信された指令信号Ｓ０ａ又は要求信号Ｓ７ａに応じて、情報表示板１０の発光表示の実行状態を示す監視信号Ｓ２ａを生成し、監視信号Ｓ２ａは通信部２１ａから主制御機３に送信される。表示監視部２６ａは、カメラ３０又は３１によって取得された撮影画像を含む監視信号Ｓ２ａを生成する。あるいは、表示監視部２６ａは、通信部２１ａによって受信された指令信号Ｓ０ａ又は表示制御部２５ａによって生成された表示制御信号Ｓ１に基づいて監視信号Ｓ２ａを生成してもよい。
【００６６】
また、更新処理部２８ａは、通信部２１ａによって主制御機３から受信された更新信号Ｓ５ａに応じて、メモリ２３に記憶されているデータ又はプログラムを更新する。また、更新処理部２８ａは、更新が進行中であること、更新が完了したこと又は更新が失敗したことを示す更新結果信号Ｓ６ａを主制御機３に送信するようにしてもよい。
【００６７】
主制御機３は、主制御部６０、制御機通信部６１及び信号変換部６２を備える。主制御部６０は、主制御機３から情報表示装置１を制御するための入力インターフェース及び信号生成手段である。制御機通信部６１は、情報表示装置１の通信部２１ａ及びモバイル端末２の端末通信部４１と通信可能に構成される。制御機通信部６１及び端末通信部４１は、Ｂｌｕｅｔｏｏｔｈ（登録商標）、Ｗｉ−Ｆｉ、３Ｇ、４Ｇ、ＬｏＲａなどによって無線通信可能に構成される。信号変換部６２は、制御機通信部６１によってモバイル端末２から受信された表示指令信号Ｓ０及び更新情報信号Ｓ５を指令信号Ｓ０ａ及び更新信号Ｓ５ａにそれぞれに変換し、可動のカメラ３１が採用される場合にはモバイル端末２から受信された撮影方向信号Ｓ８を方向信号Ｓ８ａに変換する。また、信号変換部６２は、制御機通信部６１によって情報表示装置１から受信された監視信号Ｓ２ａ及び更新結果信号Ｓ６ａを監視情報信号Ｓ２及び更新結果通知信号Ｓ６にそれぞれ変換する。
【００６８】
モバイル端末２の構成は、第２の実施形態に示すものと実質的に同様である。ただし、表示指令信号Ｓ０、更新情報信号Ｓ５、監視要求信号Ｓ７及び撮影方向信号Ｓ８の送信先並びに監視情報信号Ｓ２及び更新結果通知信号Ｓ６の受信元は、情報表示装置１ではなく主制御機３である。なお、ユーザは、主制御部６０によって指令信号Ｓ１ａ、更新信号Ｓ５ａ、要求信号Ｓ７ａ又は方向信号Ｓ８ａを情報表示装置１に送信してからモバイル端末２によって主制御機３から監視情報信号Ｓ２又は更新結果通知信号Ｓ６を受信することもできる。
【００６９】
以上のように、本実施形態の情報表示システム５は、情報表示装置１、モバイル端末２、及び情報表示装置１から遠隔配置された主制御機３を備える。情報表示装置１は少なくとも、発光表示可能な情報表示板１０と、主制御機３と通信可能な通信部２１ａと、主制御機３から受信された指令信号Ｓ０ａに応じて所定の発光表示を情報表示板１０に実行させるための表示制御信号Ｓ１を生成する表示制御部２５ａと、発光表示の実行状態を示す監視情報を主制御機３に送信するための監視信号Ｓ２ａを生成する表示監視部２６ａとを備える。主制御機３は少なくとも、情報表示装置１及びモバイル端末２と通信可能な制御機通信部６１と、モバイル端末２から受信された表示指令信号Ｓ０を指令信号Ｓ０ａに変換し、情報表示装置１から受信された監視信号Ｓ２ａを監視情報信号Ｓ２に変換する信号変換部６２とを備える。モバイル端末２は少なくとも、タッチパネル４０と、主制御機３と通信可能な端末通信部４１と、情報表示板１０に実行させる表示内容の候補をタッチパネル４０に出力してユーザ入力に応じて表示内容を決定する表示内容決定部４６と、決定された表示内容に基づいて表示指令信号Ｓ０を生成する指令信号生成部４７と、受信された監視情報信号Ｓ２に基づく表示をタッチパネル４０に出力する監視情報出力部４８とを備える。
【００７０】
このように、本実施形態の情報表示システム５によると、主制御機３と情報表示装置１の間の既存の通信回線を利用して、モバイル端末２による情報表示板１０の制御及び監視が可能となる。したがって、本実施形態においては、第１又は第２の実施形態に関して上述した各効果と同様の効果を得ることができるとともに、導入容易な情報表示システム５が実現される。特に、主制御機３によって情報表示板１０の試験を行う場合に、従来では主制御機３に配備された制御担当の作業者と、情報表示装置１に配置された監視担当の作業者との２名のユーザが必要であったのに対し、作業者（モバイル端末２のユーザ）が主制御機３に対して配備されるだけでよく、試験用の人員の削減が可能となる。
【００７１】
＜各実施形態におけるモバイル端末操作＞
図５を用いて、第１〜第３の実施形態に共通するモバイル端末２の操作の一例を説明する。なお、図５の画面Ａ〜画面Ｃは、表示内容の決定及び監視に関するものであるが、これらの画面が表示される前に、アプリ起動に伴う初期画面、複数の情報表示装置１から制御対象となる情報表示装置１を選択するための画面などが表示され得る。また、各画面において、アプリの操作方法の説明が音声ガイダンスによって行われるようにしてもよい。
【００７２】
画面Ａは、表示内容の決定のための基本画面（初期画面）である。タッチパネル４０の表示領域には、項目選択領域４０１、制御決定ボタン４０２及び監視情報領域４０３が表示される。項目選択領域４０１は、ドロップダウンリストによって表示項目（表示内容）の候補を表示する領域である。画面Ａにおいては、表示項目が未選択であるので、項目選択領域４０１には「項目名」などが表示される。「項目制御」と表示された制御決定ボタン４０２は、そこへのタッチ操作（タップなど）に応じて、項目選択領域４０１で選択された項目名を確定するためのアイコンである。監視情報領域４０３は、監視情報信号Ｓ２の受信に応じてその表示を行う領域である。本例では、監視情報領域４０３には「消滅」と表示され、現在、情報表示板１０には何も表示が行われていないことが示されている。なお、表示が行われていない場合には、監視情報領域４０３には黒色無地の表示が適用されてもよい。
【００７３】
画面Ｂは、表示内容の決定の際の画面である。項目選択領域４０１において、制御項目として「走行注意」が選択される。これに応じて、制御決定ボタン４０２が選択可能となる。言い換えると、項目選択領域４０１において制御項目が選択されていない場合、又は項目選択領域４０１において選択された制御項目が監視情報領域４０３の表示と同じである場合、制御決定ボタン４０２は、グレーアウトされるなどして選択不可の状態となるようにしてもよい。
【００７４】
画面Ｂの状態で、制御決定ボタン４０２がタッチされると、上述したように、表示内容決定部４６によって表示内容（「走行注意」）が決定され、指令信号生成部４７によって表示指令信号Ｓ０が生成され、表示指令信号Ｓ０が制御対象の情報表示装置１に送信される。そして、制御装置２０において、表示制御部２５によって「走行注意」表示のための表示制御信号Ｓ１が生成されるとともに表示監視部２６によって監視情報信号Ｓ２が生成され、監視情報信号Ｓ２がモバイル端末２に送信される。そして、画面Ｃに示すように、監視情報出力部４８によって、監視情報信号Ｓ２に基づく監視情報として「走行注意」が監視情報領域４０３に出力される。
【００７５】
図６を用いて、第１〜第３の実施形態に共通するモバイル端末２の操作の他の例を説明する。本例でも、画面Ａ〜画面Ｃは、表示内容の決定及び監視に関するものであるが、同画面が表示される前に、アプリ起動に伴う初期画面、複数の情報表示装置１から制御対象となる情報表示装置１を選択するための画面などが表示され得る。また、各画面において、アプリの操作方法の説明が音声ガイダンスによって行われるようにしてもよい。
【００７６】
図６の各画面に示すように、タッチパネル４０の表示領域には、項目選択領域４０４及び必要に応じて制御決定ボタン４０５が表示される。項目選択領域４０４の表示は、ユーザによる横方向へのスワイプ操作又はフリック操作によって順次変更（ローテーション）される。本例では、画面Ａにおいてユーザが項目選択領域４０４（「凍結注意」）に右スワイプを行うと、画面Ｂに示すように項目選択領域４０４には次の表示項目候補である「走行注意」が表示される。さらに、画面Ｂにおいてユーザが項目選択領域４０４に右スワイプを行うと、画面Ｃにおいて次の表示項目候補である「消滅」（又は黒色無地）が項目選択領域４０４に表示される。さらに、ユーザが項目選択領域４０４に右スワイプを行うと、画面Ａに戻り、次の表示項目候補である「凍結注意」が項目選択領域４０４に表示される。なお、左スワイプが行われた場合には、上記と逆の順序で表示項目候補が変更される。これにより、モバイル端末２における表示内容の選択に関して直観的な操作が可能となる。
【００７７】
なお、本例では項目選択領域４０４の操作にスワイプ操作又はフリック操作を用いる構成を示すが、スクラブ操作、シェイク操作などが適用される構成としてもよい。また、本例では、縦型の情報表示板１０に対して縦向き（縦使い）のモバイル端末２に縦長の項目選択領域４０４が表示される構成を示すが、横型の情報表示板１０に対して横向き（横使い）のモバイル端末２に横長の項目選択領域４０４が表示される構成としてもよい。また、本例では、縦長の項目選択領域４０４の短手方向にスワイプ操作又はフリック操作が要求される構成を示すが、項目選択領域４０４の向きと操作方向はこれに限られない。すなわち、縦長の項目選択領域４０４の短手方向又は長手方向にスワイプ操作又はフリック操作が要求されるようにしてもよいし、横長の項目選択領域４０４の短手方向又は長手方向にスワイプ操作又はフリック操作が要求されるようにしてもよい。
【００７８】
そして、項目選択領域４０４の表示が所定時間にわたって変更されない場合に、表示内容決定部４６が、その時点で項目選択領域４０４に表示されている表示項目候補を、適用すべき表示内容（すなわち、表示指令信号Ｓ０に含める表示内容）として決定する。上記所定時間は、例えば、５〜１０秒程度であればよい。また、上記所定時間の経過直前（例えば、上記所定時間の満了前２〜３秒前など）に項目表示領域４０４を点滅させて、項目決定間近であることをユーザに示すようにしてもよい。なお、表示項目候補は、上記の３種類に限られず、多数の表示項目が設定され得る。
【００７９】
例えば、画面Ｂの状態で、上記所定時間が経過したとすると、表示内容決定部４６によって表示内容（「走行注意」）が決定され、指令信号生成部４７によって表示指令信号Ｓ０が生成され、表示指令信号Ｓ０が制御対象の情報表示装置１に送信される。そして、制御装置２０において、表示制御部２５によって「走行注意」表示のための表示制御信号Ｓ１が生成されるとともに表示監視部２６によって監視情報信号Ｓ２が生成され、監視情報信号Ｓ２がモバイル端末２に送信される。そして、監視情報出力部４８によって、タッチパネル４０における画面Ｂからの何らかの変化、例えば、文字の追加（「実行完了」表示のポップアウトなど）、配色の変更（項目表示領域４０４の文字色又は背景色の変更など）、配置の変更（項目表示領域４０４の拡大など）、装飾の追加（項目表示領域４０４への枠追加など）、制御決定ボタン４０５の消去又はグレーアウトなどが実行されるようにしてもよい。
【００８０】
上記のように、図６に示す例では、制御決定ボタン４０５が使用されなくても表示項目が決定される。これにより、ユーザは、図５に示す例の場合よりも単純な操作ステップ又は少ない操作ステップで表示内容を決定することができ、より直感的操作が可能となる。ただし、緊急時など、上記所定時間の待機が望まれない場合には、ユーザが制御決定ボタン４０５をタッチして、その時点で項目選択領域４０４に表示されている表示項目候補を表示内容として確定させることができる。なお、制御決定ボタン４０５は、ユーザによるタッチ操作が可能な所定のアイコンであればよい。これにより、操作の直感性と迅速性の両立が可能となる。
【００８１】
図７を用いて、履歴情報にカメラ３０又は３１による撮影画像が含まれる場合のモバイル端末２の操作例の一例を説明する。画面Ａは録画中の画面であり、画面Ｂは録画を停止した状態の画面である。両図に示すように、タッチパネル４０には、撮影データ表示領域４０６及び操作アイコン４０７が表示される。まず、監視情報信号Ｓ２に含まれる撮影データが、撮影データ表示領域４０６に表示される（本例では、スクロール中の「東京方面通行止」の表示が撮影されている）。動画撮影の場合、操作アイコン４０７へのタッチ操作によって録画の開始及び停止が行われ、録画期間中の動画データがメモリ４３に保存される。この場合、操作アイコン４０７の表示態様は、録画中と停止時とで異なるように表示される。静止画撮影の場合、例えば、撮影データ表示領域４０６をロングタップ操作などすると、「画像保存しますか」などの選択画面（不図示）がタッチパネル４０のいずれかの箇所に表示され、その選択に応じて撮影データ表示領域４０６の画像がメモリ４３に保存される。この一連の処理は、撮影履歴記録部５２などによって実行され、その後、ユーザは保存された撮影データ（静止画又は動画）を履歴情報として閲覧することができる。
【００８２】
＜変形例＞
以上に本発明の好適な実施形態を示したが、本発明は、例えば以下に示すように種々の態様に変形可能である。
【００８３】
（１）モバイル端末２と情報表示装置１又は主制御機３との通信に関する変形
上記各実施形態では、モバイル端末２と情報表示装置１又はモバイル端末２と主制御機３とが直接無線通信する構成を示したが、これらがインターネット（クラウド）を介して通信する構成としてもよい。
【００８４】
（２）情報表示板１０及び制御装置２０の関係に関する変形
上記各実施形態では、制御装置２０に通信部２１（２１ａ）、ＣＰＵ２２及びメモリ２３が含まれる構成とした。一方、ＣＰＵ２２及びメモリ２３が情報表示板１０に含まれる構成としてもよいし、通信部２１（２１ａ）、ＣＰＵ２２及びメモリ２３が情報表示板１０に含まれる構成としてもよい。
【００８５】
（３）各実施形態における構成要素の取捨選択
上記各実施形態では、特定の実施形態に特定の構成要素が含まれるものとして説明したが、ある実施形態から特定の構成要素を適宜削除してもよいし、ある実施形態で示した構成要素を他の実施形態に適宜導入してもよい。例えば、第１及び第２の実施形態において操作部２９は省略されてもよいし、逆に操作部２９及び変更通知部２７に対応する構成要素が第３の実施形態の情報表示装置１に設けられていてもよい。また、第３の実施形態において、第１の実施形態と同様にカメラ３０又は３１を有さない構成も可能である。
【符号の説明】
【００８６】
１、１−１〜１−ｎ  情報表示装置
２  モバイル端末
３  主制御機
５  情報表示システム
１０  屋外情報表示板
２１、２１ａ  通信部
２５、２５ａ  表示制御部
２６、２６ａ  表示監視部
２７  変更通知部
２８、２８ａ  更新処理部
２９  操作部
３０、３１  カメラ
３２、３２ａ  撮影方向制御部
４０  タッチパネル（表示画面、操作入力部）
４１  端末通信部
４３  メモリ
４４  報知部
４６  表示内容決定部
４７  指令信号生成部
４８  監視情報出力部
４９  表示履歴記録部
５１  更新情報生成部
５２  撮影履歴記録部
６１  制御機通信部
６２  信号変換部
【図１】
2018106010.tif 000003
【図２】
2018106010.tif 000004
【図３】
2018106010.tif 000005
【図４】
2018106010.tif 000006
【図５】
2018106010.tif 000007
【図６】
2018106010.tif 000008
【図７】
2018106010.tif 000009